(57)【要約】【課題】本発明は、ユーザの手を煩わせることなく、不要なコンテンツのみを削除候補のコンテンツを特定することができるコンテンツ記録装置およびコンテンツ管理方法を提供することを課題とする。【解決手段】コンテンツリスト記録部５２２にコンテンツリストを記録しておき、データ管理部５６は、送受信部４３によって新たに受信したコンテンツリストと、コンテンツリスト記録部５２２に記録している同一名のコンテンツリストとを比較することで、コンテンツリスト記録部５２２に記録しているコンテンツリストから削除され、且つコンテンツ記録部５２３に記録されているコンテンツを削除対象コンテンツとして特定し、送受信部４３によって新たに受信したコンテンツリストをコンテンツリスト記録部５２２に記録している同一名のコンテンツリストに上書きして更新する。【選択図】        図４
2008059072.tif 000002
【特許請求の範囲】
【請求項１】
ネットワーク上に公開されているコンテンツのアドレスが記述され、前記ネットワーク上に公開されているコンテンツリストに基づいて、前記コンテンツを前記ネットワーク経由で受信し、受信した前記コンテンツをコンテンツ記録手段に記録するコンテンツ記録装置であって、
前記コンテンツリストを記録するコンテンツリスト記録手段と、
前記コンテンツリストを受信するコンテンツリスト受信手段と、
該コンテンツリスト受信手段によって新たに受信された前記コンテンツリストと、前記コンテンツリスト記録手段に記録されている同一名の前記コンテンツリストとを比較することで、前記コンテンツリスト記録手段に記録されている前記コンテンツリストから削除され、且つ前記コンテンツ記録手段に記録されている前記コンテンツを削除対象コンテンツとして特定する削除対象コンテンツ特定手段と、
前記コンテンツリスト受信手段によって受信された前記コンテンツリストを前記コンテンツリスト記録手段に記録されている同一名の前記コンテンツリストに上書きして更新するコンテンツリスト更新手段とを具備することを特徴とするコンテンツ記録装置。
【請求項２】
前記削除対象コンテンツ特定手段によって特定された前記削除対象コンテンツを所定のタイミングで前記コンテンツ記録手段から削除するコンテンツ削除手段を具備することを特徴とする請求項１記載のコンテンツ記録装置。
【請求項３】
前記削除対象コンテンツ特定手段によって特定された前記削除対象コンテンツの前記コンテンツ記録手段からの削除を指示する削除指示入力を受け付ける操作手段を具備することを特徴とする請求項１又は２記載のコンテンツ記録装置。
【請求項４】
所定の条件に合致した場合に、前記削除対象コンテンツの削除を促すメッセージと共に、前記削除対象コンテンツの一覧を表示する表示手段を具備することを特徴とする請求項３記載のコンテンツ記録装置。
【請求項５】
ネットワーク上に公開されているコンテンツのアドレスが記述され、前記ネットワーク上に公開されているコンテンツリストに基づいて、前記コンテンツを前記ネットワーク経由で受信し、受信した前記コンテンツをコンテンツ記録手段に記録するコンテンツ記録装置におけるコンテンツ管理方法であって、
前記コンテンツリストを記録しておき、
新たに受信した前記コンテンツリストと、記録している同一名の前記コンテンツリストとを比較することで、記録している前記コンテンツリストから削除され、且つ前記コンテンツ記録手段に記録されている前記コンテンツを削除対象コンテンツとして特定し、
新たに受信した前記コンテンツリストを記録している同一名の前記コンテンツリストに上書きして更新することを特徴とするコンテンツ管理方法。
【請求項６】
特定した前記削除対象コンテンツを所定のタイミングで前記コンテンツ記録手段から削除することを特徴とする請求項５記載のコンテンツ管理方法。
【請求項７】
操作手段からの削除指示入力によって、特定した前記削除対象コンテンツを前記コンテンツ記録手段から削除することを特徴とする請求項５又は６記載のコンテンツ管理方法。
【請求項８】
所定の条件に合致した場合に、前記削除対象コンテンツの削除を促すメッセージと共に、前記削除対象コンテンツの一覧を表示することを特徴とする請求項７記載のコンテンツ管理方法。
【発明の詳細な説明】
【技術分野】
【０００１】
本発明は、コンテンツをネットワーク経由で受信して記録するコンテンツ記録装置およびコンテンツ管理方法に関し、特にコンテンツのアドレス（ＵＲＬ）が記述されたＲＳＳファイル等のコンテンツリストに基づいてコンテンツをネットワーク経由で受信して記録するコンテンツ記録装置およびコンテンツ管理方法に関する。
【背景技術】
【０００２】
近年、音声／映像データのデジタル化が進み、音楽コンテンツ以外のデジタル音声／映像データをインターネット上で配信されるサービスが各メディアから行われている。中でもPodcastと呼称される配信サービスが盛んで、ニュースや芸能など放送局が配信するものから個人が自主制作したコンテンツまでその範囲は広い。
【０００３】
これらの配信コンテンツのほとんどはＷｅｂサイト上で公開されているが、視聴者が新しい配信コンテンツの有無を確認するためにＷｅｂサイトへ訪問する必要があった。この問題を解決する手段として、配信サイト上にＲＳＳ（Rich Site Summary）と呼ばれるＷｅｂサイトで公開されているコンテンツや要約等のメタデータを構造化して記述するＸＭＬベースのフォーマットで記載した更新情報をコンテンツリストとして設置し、ＲＳＳを読み取る専用のツールを用いることで配信内容、すなわちコンテンツリストに記述されているコンテンツが更新されているかの確認とコンテンツの入手が飛躍的に容易となった。
【０００４】
配信されるコンテンツ、すなわちコンテンツリストに記述されているコンテンツは内容によって非常に高い頻度で更新される。例えば、ニュースや株式情報等のリアルタイム性を要求するものほどその傾向は高く、図１２（ａ）に示すように、これらのコンテンツは一定期間が経過すると配信リストから除外されることが多く、コンテンツリストに記述されなくなる。一方で連続したドラマや英会話の教材等の場合、途中から視聴を始めたユーザにも初回からコンテンツを配信するために、図１２（ｂ）に示すように、過去の配信コンテンツをコンテンツリストに全て蓄積する場合がある。なお、図１２は、コンテンツリストの更新方法を説明するための説明図である。
【０００５】
上述した専用ツールではWeb上のRSSファイルを読み取り、配信中のコンテンツの一覧表示や取得を行うことができる。現存のツールでは配信されたデータを取得し記録することが可能であるが、配信されたデータの管理はユーザに委ねられているため、コンテンツの削除を手動で行う必要がある。パソコンなど大容量記録媒体を有する機器で一連のツールを用いる場合はそれほど問題とはならないが、限られた容量の端末機器（例えば、携帯電話やポータブルオーディオ等）においては、配信を受ける頻度が高いほど、削除の操作負担が重くなる傾向となり、特に図１２（ａ）に示すように、頻繁にコンテンツが入れ替わる場合においては顕著といえる。
【０００６】
限られた容量の端末機器におけるコンテンツの削除作業の負担を軽減させる方法としては、記録したコンテンツ毎に「無条件保存」「視聴済みになったら自動削除」「保存期限が過ぎたら自動削除」「無条件自動削除」の４つの中からユーザが選択し、コンテンツを管理する第１の方法や（例えば、特許文献１参照）、端末機器内においてコンテンツの保存期間とコンテンツの性質を管理し、コンテンツの性質に応じた保存期間で自動削除の判断を行う第２の方法や（例えば、特許文献２参照）、配信コンテンツに対し保有個数を指定し、それを超える場合は古いものから自動で削除する第３の方法が提案されている。
【０００７】
しかしながら、上述の第１の方法では、ユーザの意志が反映されて、不適切な削除が行われないようにすることができるが、削除作業の代わりに、コンテンツ毎にユーザが判断して削除条件を指定するという煩雑な操作が必要となり、結果としてユーザが削除条件を適当に指定してしまい、不要なコンテンツがずっと記録されたままの状態となり、配信を受ける空き容量が不足したり、必要なコンテンツが誤って削除されてしまったりするという問題点があった。また、上述の第２の方法では、テレビ番組の録画を前提としており、番組情報（EPG）を取得することでコンテンツの種類を判別することが容易である場合に成り立つ方法であり、コンテンツの性質についての情報が得られない配信においては、適用することができず、さらに、上述の第３の方法では、連続したドラマや英会話の教材等のように、ユーザが保存しておきたいコンテンツがユーザの意図に反して削除されてしまう恐れがある。
【特許文献１】特開２０００−２１１３６号公報
【特許文献２】特開２００４−８６２８８号公報
【発明の開示】
【発明が解決しようとする課題】
【０００８】
本発明は斯かる問題点に鑑みてなされたものであり、その目的とするところは、ユーザの手を煩わせることなく、不要なコンテンツのみを削除候補のコンテンツを特定することができ、不要なコンテンツがずっと記録されたままの状態となり、配信を受ける空き容量が不足したり、必要なコンテンツが誤って削除されてしまったりすることを防止することができるコンテンツ記録装置およびコンテンツ管理方法を提供する点にある。
【課題を解決するための手段】
【０００９】
本発明は上記課題を解決すべく、以下に掲げる構成とした。
本発明のコンテンツ記録装置は、ネットワーク上に公開されているコンテンツのアドレスが記述され、前記ネットワーク上に公開されているコンテンツリストに基づいて、前記コンテンツを前記ネットワーク経由で受信し、受信した前記コンテンツをコンテンツ記録手段に記録するコンテンツ記録装置であって、前記コンテンツリストを記録するコンテンツリスト記録手段と、前記コンテンツリストを受信するコンテンツリスト受信手段と、該コンテンツリスト受信手段によって新たに受信された前記コンテンツリストと、前記コンテンツリスト記録手段に記録されている同一名の前記コンテンツリストとを比較することで、前記コンテンツリスト記録手段に記録されている前記コンテンツリストから削除され、且つ前記コンテンツ記録手段に記録されている前記コンテンツを削除対象コンテンツとして特定する削除対象コンテンツ特定手段と、前記コンテンツリスト受信手段によって受信された前記コンテンツリストを前記コンテンツリスト記録手段に記録されている同一名の前記コンテンツリストに上書きして更新するコンテンツリスト更新手段とを具備することを特徴とする。
【００１０】
さらに、本発明のコンテンツ記録装置は、前記削除対象コンテンツ特定手段によって特定された前記削除対象コンテンツを所定のタイミングで前記コンテンツ記録手段から削除するコンテンツ削除手段を具備することを特徴とする。
【００１１】
さらに、本発明のコンテンツ記録装置は、前記削除対象コンテンツ特定手段によって特定された前記削除対象コンテンツの前記コンテンツ記録手段からの削除を指示する削除指示入力を受け付ける操作手段を具備することを特徴とする。
【００１２】
さらに、本発明のコンテンツ記録装置は、所定の条件に合致した場合に、前記削除対象コンテンツの削除を促すメッセージと共に、前記削除対象コンテンツの一覧を表示する表示手段を具備することを特徴とする。
【００１３】
また、本発明のコンテンツ管理方法は、ネットワーク上に公開されているコンテンツのアドレスが記述され、前記ネットワーク上に公開されているコンテンツリストに基づいて、前記コンテンツを前記ネットワーク経由で受信し、受信した前記コンテンツをコンテンツ記録手段に記録するコンテンツ記録装置におけるコンテンツ管理方法であって、前記コンテンツリストを記録しておき、新たに受信した前記コンテンツリストと、記録している同一名の前記コンテンツリストとを比較することで、記録している前記コンテンツリストから削除され、且つ前記コンテンツ記録手段に記録されている前記コンテンツを削除対象コンテンツとして特定し、新たに受信した前記コンテンツリストを記録している同一名の前記コンテンツリストに上書きして更新することを特徴とする。
【００１４】
さらに、本発明のコンテンツ管理方法は、特定した前記削除対象コンテンツを所定のタイミングで前記コンテンツ記録手段から削除することを特徴とする。
【００１５】
さらに、本発明のコンテンツ管理方法は、操作手段からの削除指示入力によって、特定した前記削除対象コンテンツを前記コンテンツ記録手段から削除することを特徴とする。
【００１６】
さらに、本発明のコンテンツ管理方法は、所定の条件に合致した場合に、前記削除対象コンテンツの削除を促すメッセージと共に、前記削除対象コンテンツの一覧を表示することを特徴とする。
【発明の効果】
【００１７】
本発明のコンテンツ記録装置およびコンテンツ管理方法は、コンテンツリストを記録しておき、新たに受信したコンテンツリストと、記録している同一名のコンテンツリストとを比較することで、記録しているコンテンツリストから削除され、且つコンテンツ記録手段に記録されているコンテンツを削除対象コンテンツとして特定し、新たに受信したコンテンツリストを記録している同一名のコンテンツリストに上書きして更新するように構成することにより、コンテンツリストに連動させて記録されているコンテンツを管理することができるため、ユーザの手を煩わせることなく、ニュースや株式情報等の頻繁にコンテンツリストが更新される場合に、コンテンツリストから削除された不要なコンテンツを削除候補のコンテンツを特定することができ、不要なコンテンツがずっと記録されたままの状態となり、配信を受ける空き容量が不足することを防止することができると共に、連続したドラマや英会話の教材等のコンテンツリストから削除されない必要なコンテンツツが誤って削除されてしまうことを防止することができるという効果を奏する。
【００１８】
さらに、本発明のコンテンツ記録装置およびコンテンツ管理方法は、特定した削除対象コンテンツを所定のタイミングでコンテンツ記録手段から削除するように構成することにより、直ちに削除する場合、コンテンツ受信動作修了時、コンテンツ記録手段の空き容量が所定の値以下になった場合、コンテンツ記録手段に新たなコンテンツを記録できない場合等の所定のタイミングで、ユーザの手を煩わせることなく不要なコンテンツの自動的に削除することができるという効果を奏する。
【００１９】
さらに、本発明のコンテンツ記録装置およびコンテンツ管理方法は、操作手段からの削除指示入力によって、特定した削除対象コンテンツをコンテンツ記録手段から削除するように構成することにより、特定された削除対象コンテンツをユーザの手によって簡単に削除することができるという効果を奏する。
【００２０】
さらに、本発明のコンテンツ記録装置およびコンテンツ管理方法は、所定の条件に合致した場合に、削除対象コンテンツの削除を促すメッセージと共に、削除対象コンテンツの一覧を表示するように構成することにより、コンテンツ記録手段の空き容量が所定の値以下になった場合や、コンテンツ記録手段に新たなコンテンツを記録できない場合等のコンテンツ記録手段からコンテンツを削除して空き容量を確保しなければならない条件に合致したときに、ユーザにコンテンツの削除を促すことができ、ユーザは、特定された削除対象コンテンツを確認した上で削除することができるという効果を奏する。
【発明を実施するための最良の形態】
【００２１】
以下、本発明の実施の形態を図面に基づいて詳細に説明する。
【００２２】
図１は、本発明に係るコンテンツ記録装置の実施の形態に対してコンテンツを配信する配信システム例を示すシステム構成図であり、図２は、図１に示すキャストサイトサーバに記録されているキャストサイトリスト例を示す図であり、図３は、図１に示すコンテンツリストサーバに記録されているコンテンツリスト例を示す図であり、図４は、本発明に係るコンテンツ記録装置の実施の形態の構成を示すブロック図であり、図５は、図４に示す受信設定記録部に記録された受信設定例を示す図である。
【００２３】
本実施の形態のコンテンツ記録装置５０に対して、音声データ、画像データ、映像データ等のコンテンツコンテンツを配信する配信システムは、図１を参照すると、インターネット等のネットワーク１０を経由してキャストサイトリストを配信するキャストサイトサーバ２０と、ネットワーク１０を経由してコンテンツリストを配信するコンテンツリストサーバ３０と、ネットワーク１０を経由してコンテンツを配信するコンテンツサーバ４０と、ネットワーク１０を経由してキャストサイトリスト、コンテンツリストおよびコンテンツを受信するコンテンツ記録装置５０とからなる。なお、本実施の形態では、機能的にキャストサイトサーバ２０と、コンテンツリストサーバ３０と、コンテンツサーバ４０とに分けて説明するが、キャストサイトサーバ２０、コンテンツリストサーバ３０およびコンテンツサーバ４０は、プログラム制御によって動作する１以上の情報処理装置からなるサーバシステムとして実現することができ、各サーバを異なる事業者によって管理するようにしても良く、各サーバの２以上を同一の事業者によって管理するようにしても良い。
【００２４】
キャストサイトサーバ２０は、コンテンツ記録装置５０からの各種リクエストに応答するＷｅｂサーバとしての機能を有し、キャストサイトリスト記録部２１と、案内情報記録部２２と、リクエスト応答部２３と、送受信部２４とを備えている。
【００２５】
キャストサイトリスト記録部２１は、キャストサイトリストが記録されているＨＤＤ等の記録手段である。キャストサイトリストは、メタ言語によって記述された構造化文書であり、タグを用いてコンテンツリストの名称および当該コンテンツリストが公開されているネットワーク１０上のアドレス（以下、リストＵＲＬと称す）が記述された一覧である。図２を参照すると、本実施の形態におけるキャストサイトリストは、ＸＭＬ（Extensible Markup Language）の仕様の１つであるＯＰＭＬ（Outline Processor Markup Language）によって記述されている構造化文書である。
【００２６】
図２において、<?xml version="1.0" encoding="UTF-8"?>は、キャストサイトリストがＸＭＬ文書であることを示すＸＭＬ宣言であり、終了タグ</head>との間に、キャストサイトリスト名および作成日時が要素として記述されていることを示す開始タグ<head>と、終了タグ</title>との間に、キャストサイトリスト名が要素として記述されていることを示す開始タグ<title>と、終了タグ</dateCreated>との間に、作成日時が要素として記述されていることを示す開始タグ<dateCreated>と、終了タグ</body>との間に、コンテンツリストのグループ名、複数のコンテンツリスト名およびリストＵＲＬが要素として記述されていることを示す開始タグ<body>と、終了タグ</outline>との間に、複数のコンテンツリスト名およびリストＵＲＬが要素として記述されていることを示すと共に、属性としてコンテンツリストのグループ名が記述されていることを示す開始タグ<outline>と、コンテンツリスト名（text）およびリストＵＲＬ（xmlUrl）が属性として記述されていることを示す空要素タグ<outline/>とで構成されている。
【００２７】
従って、図３に示すキャストサイトリスト例には、キャストサイトリスト名「△△△キャストサイト」と、その作成日時が記述されていると共に、グループ名「ニュース」にコンテンツリスト名「○○○ニュース」および「本日の株価」とそのリストＵＲＬが記述され、グループ名「音声ブログ」にコンテンツリスト名「ネット対談」および「ヒーロー」とそのリストＵＲＬが記述されている。
【００２８】
案内情報記録部２２は、キャストサイトリストに用いられているメタ言語とは異なる言語、例えばＨＴＭＬ（HyperText Markup Language）を用いて作成された案内ページが記録されているＨＤＤ等の記録手段であり、例えば、リクエストされたアドレスがＯＰＭＬによって記述されているキャストサイトリストを配信するためのアドレスであることを通知する案内ページが記録されている。
【００２９】
リクエスト応答部２３は、コンテンツ記録装置５０からキャストサイトリストリクエストを受信すると、キャストサイトリスト記録部２１に記録されているキャストサイトリストを送受信部２４によってネットワーク１０経由でコンテンツ記録装置５０に送信し、キャストサイトリストリクエスト以外のリクエストを受信すると、案内情報記録部２２に記録されている案内ページを送受信部２４によってネットワーク１０経由で送信する。すなわち、コンテンツ記録装置５０からのキャストサイトリストリクエストは、ＯＰＭＬによって記述されているキャストサイトリストの送信要求であり、ＨＴＴＰヘッダ等のリクエストのヘッダ（以下、リクエストヘッダと称する）にＯＰＭＬ（ＸＭＬ）対応であることが記述されており、リクエスト応答部２３は、リクエストヘッダにＯＰＭＬ対応であることが記述されている場合には、キャストサイトリスト記録部２１に記録されているキャストサイトリストを送受信部２４によってネットワーク１０経由でコンテンツ記録装置５０に送信し、リクエストヘッダにＯＰＭＬ対応であることが記述されていない場合には、ＨＴＭＬに対応したＷｅｂブラウザからのリクエストであると認識し、案内情報記録部２２に記録されているＨＴＭＬを用いて作成された案内ページを送受信部２４によってネットワーク１０経由で送信する。
【００３０】
送受信部２４は、有線もしくは無線でネットワーク１０に接続する機能を有し、ＨＴＴＰ（HyperText Transfer Protocol）やＦＴＰ（File Transfer Protocol）等のプロトコルに基づいてネットワーク１０を介してコンテンツ記録装置５０と情報通信を行う。
【００３１】
コンテンツリストサーバ３０は、コンテンツ記録装置５０からの各種リクエストに応答するＷｅｂサーバとしての機能を有し、コンテンツリスト記録部３１と、案内情報記録部３２と、リクエスト応答部３３と、送受信部３４とを備えている。
【００３２】
コンテンツリスト記録部３１は、コンテンツリストが記録されているＨＤＤ等の記録手段である。コンテンツリストは、メタ言語によって記述された構造化文書であり、タグを用いてコンテンツの名称、コンテンツが公開されているネットワーク１０上でのアドレス（以下、データＵＲＬと称す）およびコンテンツのデータタイプが記述されたリストである。図３を参照すると、本実施の形態のコンテンツリストは、ＸＭＬ（Extensible Markup Language）の仕様の１つであるＲＳＳ（Rich Site Summary）によって記述されている。
【００３３】
図３において、<?xml version="1.0" encoding="UTF-8"?>は、コンテンツリストがＸＭＬ文書であることを示すＸＭＬ宣言であり、終了タグ</rss>との間の要素がＲＳＳによって記述されていることを示す開始タグ<rss>と、終了タグ</channel>との間に、コンテンツリスト名、コンテンツ名、コンテンツの概要、データＵＲＬおよび当該データＵＲＬからダウンロードできるデータタイプが要素として記述されていることを示す開始タグ<channel>と、終了タグ</title>との間に、コンテンツリスト名が要素として記述されていることを示す開始タグ<title>と、終了タグ</item>との間に、コンテンツ名、コンテンツの概要、データＵＲＬおよびデータタイプが要素として記述されていることを示す開始タグ<item>と、終了タグ</pubDate>との間に、コンテンツの更新時刻、すなわちコンテンツがネットワーク１０に公開され、コンテンツリストに新たに追記された時刻が要素として記述されていることを示す開始タグ<pubDate>と、終了タグ</description>との間に、コンテンツの概要が要素として記述されていることを示す開始タグ<description>と、データＵＲＬおよびデータタイプが属性として記述されていることを示す空要素タグ<enclosure/>とで構成されている。なお、空要素タグ<enclosure/>には、コンテンツのデータ量等の配信するコンテンツに関する他の情報を属性として記述するようにしても良い。
【００３４】
案内情報記録部２２は、コンテンツリストに用いられているメタ言語とは異なる言語、例えばＨＴＭＬ（HyperText Markup Language）を用いて作成された案内ページが記録されているＨＤＤ等の記録手段であり、例えば、リクエストされたアドレスがＲＳＳによって記述されているコンテンツリストを配信するためのアドレスであることを通知する案内ページが記録されている。
【００３５】
リクエスト応答部３３は、コンテンツ記録装置５０からコンテンツリストリクエストを受信すると、コンテンツリスト記録部３１に記録されているコンテンツリストを送受信部３４によってネットワーク１０経由でコンテンツ記録装置５０に送信し、コンテンツリストリクエスト以外のリクエストを受信すると、案内情報記録部３２に記録されている案内ページを送受信部３４によってネットワーク１０経由で送信する。すなわち、コンテンツ記録装置５０からのコンテンツリストリクエストは、ＲＳＳによって記述されているコンテンツリストの送信要求であり、リクエストヘッダにＲＳＳ（ＸＭＬ）対応であることが記述されており、リクエスト応答部２３は、リクエストヘッダにＲＳＳ対応であることが記述されている場合には、コンテンツリスト記録部３１に記録されているコンテンツリストを送受信部３４によってネットワーク１０経由でコンテンツ記録装置５０に送信し、リクエストヘッダにＲＳＳ対応であることが記述されていない場合には、ＨＴＭＬに対応したＷｅｂブラウザからのリクエストであると認識し、案内情報記録部３２に記録されている案内ページを送受信部３４によってネットワーク１０経由で送信する。
【００３６】
送受信部３４は、有線もしくは無線でネットワーク１０に接続する機能を有し、ＨＴＴＰ（HyperText Transfer Protocol）やＦＴＰ（File Transfer Protocol）等のプロトコルに基づいてネットワーク１０を介してコンテンツ記録装置５０と情報通信を行う。
【００３７】
コンテンツサーバ４０は、コンテンツ記録装置５０からの各種リクエストに応答するＷｅｂサーバとしての機能を有し、コンテンツ記録部４１と、リクエスト応答部４２と、送受信部４３とを備えている。
【００３８】
コンテンツ記録部４１は、「音声データ」、「画像データ」、「映像データ」等のコンテンツが記録されているＨＤＤ等の記録手段である。
【００３９】
リクエスト応答部４２と、コンテンツ記録装置５０からコンテンツリクエストを受信すると、コンテンツ記録部４１に記録されているコンテンツを送受信部４３によってネットワーク１０経由でコンテンツ記録装置５０に送信する。
【００４０】
送受信部４３は、有線もしくは無線でネットワーク１０に接続する機能を有し、ＨＴＴＰ（HyperText Transfer Protocol）やＦＴＰ（File Transfer Protocol）等のプロトコルに基づいてネットワーク１０を介してコンテンツ記録装置５０と情報通信を行う。
【００４１】
本実施の形態のコンテンツ記録装置５０は、コンテンツ（音声データ、画像データ、映像データ）を再生するオーディオプレーヤ等のプログラム制御によって動作する携帯型の情報処理装置であり、キャストサイトリストに用いられているメタ言語（ＯＰＭＬ）と、コンテンツリストに用いられているメタ言語（ＲＳＳ）とに対応することができる機能を有し、送受信部５１と、情報記録部５２と、液晶ディスプレイ等の表示部５３と、操作部５４と、再生処理部５５と、データ管理部５６とを備えている。
【００４２】
送受信部５１は、有線もしくは無線でネットワーク１０に接続する機能を有し、ＨＴＴＰ（HyperText Transfer Protocol）やＦＴＰ（File Transfer Protocol）等のプロトコルに基づいてキャストサイトサーバ２０、コンテンツリストサーバ３０およびコンテンツサーバ４０と情報通信を行う。
【００４３】
情報記録部５２は、コンテンツリスト上で更新されたコンテンツを定期的に受信するための受信設定が記録される受信設定記録部５２０と、ＨＤＤやシリコンメモリ等の記録手段であり、キャストサイトサーバ２０から受信したキャストサイトリストが記録されるキャストサイトリスト記録部５２１と、コンテンツリストサーバ３０から受信したコンテンツリストが記録されるコンテンツリスト記録部５２２と、コンテンツサーバ４０から受信したコンテンツが記録されるコンテンツ記録部５２３とからなる。受信設定記録部５２０に記録される受信設定は、図５を参照すると、コンテンツリスト名およびそのリストＵＲＬと、コンテンツの受信を行う受信時刻とからなり、ユーザが操作部５４を用いてコンテンツを定期的に受信するコンテンツリストを指定することで設定される。
【００４４】
表示部５３は、液晶ディスプレイ等の表示手段であり、キャストサイトリスト記録部５２１に記録されたキャストサイトリストと、コンテンツリスト記録部５２２に記録されたコンテンツリストと、コンテンツ記録部５２３に記録されたコンテンツの一覧とが表示されると共に、コンテンツ記録部５２３に記録されたコンテンツに基づいて再生処理部５５によって再生された画像および映像が表示される。
【００４５】
操作部５４は、操作ボタン等の操作手段であり、キャストサイトサーバ２０に記録されているキャストサイトリストの取得を指示するキャストサイトリスト取得指示入力と、コンテンツリストサーバ３０に記録されているコンテンツリストの取得を指示するコンテンツリスト取得指示入力と、受信設定記録部５２０に受信設定を記録させる受信設定入力と、受信して記録したコンテンツの再生に係る各種入力とが行われる。
【００４６】
再生処理部５５は、情報記録部５２のコンテンツ記録部５２３に記録されたコンテンツを伸長して再生し、画像および映像は、表示部５３に表示させ、音声は、接続されたヘッドフォン５７に出力する。
【００４７】
データ管理部５６は、キャストサイトリストのメタ言語を解析、すなわちＯＰＭＬの各タグを解析することによって、キャストサイトリストにタグの要素および属性として記述されている内容を認識する機能と、コンテンツリストのメタ言語を解析、すなわちＲＳＳの各タグを解析することによって、キャストサイトリストにタグの要素および属性として記述されている内容を認識する機能とを有し、送受信部５１によってネットワーク１０経由でキャストサイトサーバ２０にキャストサイトリストリクエストを送信させることで、キャストサイトリストをキャストサイトサーバ２０から受信し、受信したキャストサイトリストをキャストサイトリスト記録部５２１に記録させ、表示部５３に表示させると共に、送受信部５１によってネットワーク１０経由でコンテンツリストサーバ３０にコンテンツリストリクエストを送信させることで、コンテンツリストをコンテンツリストサーバ３０から受信し、受信したコンテンツリストをコンテンツリスト記録部５２２に記録させ、表示部５３に表示させる。
【００４８】
また、データ管理部５６は、受信したコンテンツリストと、コンテンツリスト記録部５２２に記録されているコンテンツリストとを比較し、コンテンツリスト記録部５２２に記録されているコンテンツリストから削除され、且つコンテンツ記録部５２３に記録されているコンテンツを削除対象コンテンツとして特定する。
【００４９】
次に、本実施の形態のコンテンツ記録装置５０におけるキャストサイトリスト、コンテンツリストおよびコンテンツの受信動作について図６乃至図１０を参照して詳細に説明する。
図６は、本発明に係るコンテンツ記録装置の実施の形態によるコンテンツ受信動作を説明するためのシーケンスチャートであり、図７は、図１に示すキャストサイトサーバにおけるキャストサイトリストの配信動作を説明するフローチャートであり、図８は、本発明に係るコンテンツ記録装置の実施の形態におけるキャストサイトリストおよびコンテンツリストの表示例を示す図であり、図９は、図１に示すコンテンツリストサーバにおけるコンテンツリストの配信動作を説明するフローチャートであり、図１０は、図４に示すデータ管理部による削除対象コンテンツの特定方法を説明するための説明図である。
【００５０】
図６を参照すると、ホットスポットと称される無線ＬＡＮ等のアクセスポイントや、自宅等でインターネット等のネットワーク１０とコンテンツ記録装置５０とを接続させ、ユーザによって操作部５４からキャストサイトリスト取得指示入力が行われると（ステップＡ１）、データ管理部５６は、送受信部５１によってキャストサイトリストリクエストをキャストサイトサーバ２０に送信する（ステップＡ２）。キャストサイトリストリクエストは、キャストサイトサーバ２０のキャストサイトリスト記録部２１に記憶されているキャストサイトリストの配信を要求するリクエストであり、キャストサイトリストがネットワーク１０上で公開されているアドレス（以下、一覧ＵＲＬと称する）に基づいて行われ、ＯＰＭＬによって記述されているキャストサイトリストに対応していること、すなわちＯＰＭＬ対応であることがリクエストヘッダに記述されている。なお、一覧ＵＲＬは、ユーザによって操作部５４から入力するようにしても良く、予め設定しておくようにしても良い。
【００５１】
キャストサイトサーバ２０の送受信部２４にコンテンツ記録装置５０からのキャストサイトリストリクエストが受信されると、リクエスト応答部２３は、キャストサイトリストリクエストによって要求されたキャストサイトリストをキャストサイトリスト記録部２１から読み出し、読み出したキャストサイトリストを送受信部２４によってネットワーク１０経由でコンテンツ記録装置５０に送信する（ステップＡ３）。
【００５２】
なお、図７を参照すると、リクエスト応答部２３は、送受信部２４によるリクエストの受信を監視しており（ステップＢ１）、送受信部２４にリクエストが受信されると、受信されたリクエストがキャストサイトリストリクエストであるか否か、すなわちリクエストヘッダにＯＰＭＬ対応であることが記述されている否かを判断する（ステップＢ２）。ステップＢ２でキャストサイトリストリクエストであると判断された場合には、上述のステップＡ３の動作を行い、ステップＢ２でキャストサイトリストリクエストでないと判断された場合には、ＨＴＭＬに対応したＷｅｂブラウザからのリクエストであると認識し、案内情報記録部２２からＨＴＭＬを用いて作成された案内ページを読み出し、読み出した案内ページを送受信部２４によってネットワーク１０経由で送信する（ステップＢ３）。これにより、ＯＰＭＬに対応していないブラウザからリクエストがあった場合にも、ＯＰＭＬに対応していないブラウザでも閲覧することができる案内ページを配信することができ、例えば、リクエストされたアドレスがＯＰＭＬによって記述されているキャストサイトリストを配信するためのアドレスであることを通知する案内ページを配信することで、キャストサイトリストの認知を促進させることができる。
【００５３】
コンテンツ記録装置５０の送受信部５１にキャストサイトサーバ２０からのキャストサイトリストが受信されると、データ管理部５６は、受信されたキャストサイトリストをキャストサイトリスト記録部５２１に記録させると共に、受信されたキャストサイトリストにおいて、要素としてキャストサイトリスト名が記述されていることを示す開始タグ<title>と、属性としてコンテンツリストのグループ名が記述されていることを示す開始タグ<outline text=・・>・・と、属性としてコンテンツリスト名が記述されていることを示す空要素タグ<outline text=・・>・・とを参照することで、キャストサイトリスト名、グループ名およびコンテンツリスト名を特定して、図８（ａ）に示すように、特定したキャストサイトリスト名、グループ名およびコンテンツリスト名を表示部５３に表示させる（ステップＡ４）。
【００５４】
次に、操作部５４によってカーソル６０を移動させて、表示部５３に表示されたコンテンツリスト名の中から取得するコンテンツリストを選択し、選択したコンテンツリストの取得を指示するコンテンツリスト取得指示入力が操作部５４から行われると（ステップＡ５）、データ管理部５６は、送受信部５１によってコンテンツリストリクエストをコンテンツリストサーバ３０に送信する（ステップＡ６）。コンテンツリストリクエストは、コンテンツリストサーバ３０のコンテンツリスト記録部３１に記憶されている所望するコンテンツリストの配信を要求するリクエストであり、キャストサイトリストに空要素タグ<outline/>の属性として記述されているリストＵＲＬに基づいて行われ、ＲＳＳによって記述されているコンテンツリストに対応していること、すなわちＲＳＳ対応であることがリクエストヘッダに記述されている。
【００５５】
コンテンツリストサーバ３０の送受信部３４にコンテンツ記録装置５０からのコンテンツリストリクエストが受信されると、リクエスト応答部３３は、コンテンツリストリクエストによって要求されたコンテンツリストをコンテンツリスト記録部３１から読み出し、読み出したコンテンツリストを送受信部３４によってネットワーク１０経由でコンテンツ記録装置５０に送信する（ステップＡ７）。
【００５６】
なお、図９を参照すると、リクエスト応答部３３は、送受信部３４によるリクエストの受信を監視しており（ステップＣ１）、送受信部３４にリクエストが受信されると、受信されたリクエストがコンテンツリストリクエストであるか否か、すなわちリクエストヘッダにＲＳＳ対応であることが記述されている否かを判断する（ステップＣ２）。ステップＣ２でコンテンツリストリクエストであると判断された場合には、上述のステップＡ７の動作を行い、ステップＣ２でコンテンツリストリクエストでないと判断された場合には、ＨＴＭＬに対応したＷｅｂブラウザからのリクエストであると認識し、案内情報記録部３２からＨＴＭＬを用いて作成された案内ページを読み出し、読み出した案内ページを送受信部３４によってネットワーク１０経由で送信する（ステップＣ３）。これにより、ＲＳＳに対応していないブラウザからリクエストがあった場合にも、ＲＳＳに対応していないブラウザでも閲覧することができる案内ページを配信することができ、例えば、リクエストされたアドレスがＲＳＳによって記述されているコンテンツリストを配信するためのアドレスであることを通知する案内ページを配信することで、コンテンツリストの認知を促進させることができる。
【００５７】
コンテンツ記録装置５０の送受信部５１にコンテンツリストサーバ３０からのコンテンツリストが受信されると、データ管理部５６は、タグ<Channel>の要素且つタグ<title>の要素として記述されているコンテンツリスト名を参照することで、同一名のコンテンツリストがコンテンツリスト記録部５２２に記録されているか否かを判断し、同一名のコンテンツリストがコンテンツリスト記録部５２２に記録されている場合には、受信したコンテンツリストと、コンテンツリスト記録部５２２に記録されているコンテンツリストとを比較し、コンテンツリスト記録部５２２に記録されているコンテンツリストから削除され、且つコンテンツ記録部５２３に記録されているコンテンツを削除対象コンテンツとして特定する（ステップＡ８）。特定された削除対象コンテンツは、コンテンツ記録部５２３から削除する候補のコンテンツであり、データ管理部５６によって所定のタイミングで自動的にコンテンツ記録部５２３から削除するようにしても良く、操作部５４からユーザによって入力される削除指示入力によって削除するようにしても良い。削除対象コンテンツを削除する所定のタイミングとしては、直ちに削除する場合、コンテンツ受信動作修了時、コンテンツ記録部５２３の空き容量が所定の値以下になった場合、コンテンツ記録部５２３に新たなコンテンツを記録できない場合等が考えられる。また、ユーザの操作で削除する場合には、コンテンツ記録部５２３の空き容量が所定の値以下になった場合や、コンテンツ記録部５２３に新たなコンテンツを記録できない場合等のコンテンツ記録部５２３からコンテンツを削除して空き容量を確保しなければならない条件に合致したときに、コンテンツの削除を促すメッセージと共に、特定された削除対象コンテンツの一覧を表示部５３に表示させ、ユーザに削除のきっかけを提供するようにすると好適である。
【００５８】
例えば、図１０（ａ）に示すように、８／１にコンテンツ（８／１のニュース）を受信してコンテンツ記録部５２３に記録し、さらに、図１０（ｂ）に示すように、８／２にコンテンツ（８／１のニュース）よりも以前に配信されたコンテンツ（７／３０のニュース）を受信してコンテンツ記録部５２３に記録している場合に、図１０（ｃ）に示すように、コンテンツ（８／１のニュース）〜コンテンツ（８／５のニュース）が記述されたコンテンツリストを受信すると、受信日に左右されることなく、受信したコンテンツリストに記述されていないコンテンツ（７／３０のニュース）が削除対象コンテンツとして特定される。
【００５９】
次に、データ管理部５６は、受信したコンテンツリストをコンテンツリスト記録部５２２に記録させる（同一名のコンテンツリストがコンテンツリスト記録部５２２に記録されていた場合には、上書きして更新）と共に、受信されたコンテンツリストにおいて、要素としてコンテンツ名が記述されていることを示す開始タグ<title>を参照することで、コンテンツ名を特定して、図８（ｂ）に示すように、特定したコンテンツ名を表示部５３に表示させる（ステップＡ９）。
【００６０】
次に、操作部５４によってカーソル６０を移動させて、表示部５３に表示されたコンテンツ名の中から取得するコンテンツリストを選択し、選択したコンテンツの取得を指示するコンテンツ取得指示入力が操作部５４から行われると（ステップＡ１０）、データ管理部５６は、送受信部５１によってコンテンツリクエストをコンテンツサーバ４０に送信する（ステップＡ１１）。コンテンツリクエストは、コンテンツサーバ４０のコンテンツ記録部４１に記憶されている所望するコンテンツの配信を要求するリクエストであり、コンテンツリストに空要素タグ<enclosure url="・・・＞の属性として記述されているデータＵＲＬに基づいて行われる。
【００６１】
コンテンツサーバ４０の送受信部４３にコンテンツ記録装置５０からのコンテンツリクエストが受信されると、リクエスト応答部４２は、コンテンツリクエストによって要求されたコンテンツをコンテンツ記録部４１から読み出し、読み出したコンテンツを送受信部４３によってネットワーク１０経由でコンテンツ記録装置５０に送信し（ステップＡ１２）、コンテンツ記録装置５０の送受信部５１にコンテンツサーバ４０からのコンテンツが受信されると、データ管理部５６は、受信されたコンテンツをコンテンツ記録部５２３に記録させる（ステップＡ１３）。
【００６２】
次に、本実施の形態のコンテンツ記録装置５０におけるコンテンツリストを特定した受信動作について図１１を参照して詳細に説明する。
図１１は、本発明に係るコンテンツ記録装置の本実施の形態におけるコンテンツリストを特定した受信動作を説明するためのフローチャートである。
【００６３】
上述のステップＡ１〜ステップＡ１２では、コンテンツを個別に特定して取得する動作について説明したが、コンテンツリストを特定することで、コンテンツリストに記述されているコンテンツを取得することもできる。
【００６４】
操作部５４からコンテンツリストのリストＵＲＬを入力し、コンテンツリスト取得指示入力が行われると、データ管理部５６は、送受信部５１によってリストＵＲＬに基づくコンテンツリストリクエストをコンテンツリストサーバ３０に送信する（ステップＤ１）。なお、受信設定記録部５２０に受信設定が記録されており、コンテンツ記録装置５０がネットワーク１０に接続可能な状態で、受信設定の受信時刻に到達した場合にも、タイマー機能を用いて受信設定のリストＵＲＬに基づくコンテンツリストリクエストがコンテンツリストサーバ３０に送信される。
【００６５】
コンテンツ記録装置５０の送受信部５１にコンテンツリストサーバ３０からのコンテンツリストが受信されると（ステップＤ２）、データ管理部５６は、タグ<Channel>の要素且つタグ<title>の要素として記述されているコンテンツリスト名を参照することで、同一名のコンテンツリストがコンテンツリスト記録部５２２に記録されているか否かを判断する（ステップＤ３）。
【００６６】
ステップＤ３で同一名のコンテンツリストがコンテンツリスト記録部５２２に記録されている場合には、データ管理部５６は、受信したコンテンツリストと、コンテンツリスト記録部５２２に記録されているコンテンツリストとを比較し（ステップＤ４）、タグ<item>の要素且つタグ<title>の要素として記述されているコンテンツ名を参照することで、受信したコンテンツリストにコンテンツリスト記録部５２２に記録されているコンテンツリストに記述されていない新たなコンテンツ、すなわち更新によって新たに加えられたコンテンツが存在するか否かを判断する（ステップＤ５）。なお、ステップＤ４で受信したコンテンツリストと、コンテンツリスト記録部５２２に記録されているコンテンツリストとを比較する代わりに、受信したコンテンツリストに記述されているコンテンツと、コンテンツ記録部５２３に記録されているコンテンツとを比較することで、更新によって新たに加えられたコンテンツが存在するか否かを判断するようにしても良い。
【００６７】
ステップＤ５で新たなコンテンツが存在しない場合には、後述するステップＤ１１に至り、ステップＤ５で新たなコンテンツが存在する場合には、データ管理部５６は、新たなコンテンツを受信対象コンテンツとして特定する（ステップＤ６）。また、ステップＤ２で同一名のコンテンツリストがコンテンツリスト記録部５２２に記録されていない場合には、データ管理部５６は、受信したコンテンツリストに記述された全てのコンテンツを受信対象コンテンツとして特定する（ステップＤ７）。
【００６８】
次に、データ管理部５６は、受信対象コンテンツの配信を要求するコンテンツリクエストを送受信部５１によってコンテンツサーバ４０に送信する（ステップＤ８）。コンテンツリクエストは、コンテンツサーバ４０のコンテンツ記録部４１に記憶されているコンテンツの配信を要求するリクエストであり、コンテンツリストに空要素タグ<enclosure/>の属性として記述されているデータＵＲＬに基づいて行われる。
【００６９】
コンテンツリクエストに対応してコンテンツ記録装置５０の送受信部５１にコンテンツサーバ４０からの受信対象コンテンツが受信されると（ステップＤ９）、データ管理部５６は、受信された受信対象コンテンツをコンテンツ記録部５２３に記録させる（ステップＤ１０）。
【００７０】
次に、データ管理部５６は、ステップＤ４における受信したコンテンツリストと、コンテンツリスト記録部５２２に記録されているコンテンツリストとの比較によって、コンテンツリスト記録部５２２に記録されているコンテンツリストから削除されたコンテンツが存在するか否か、すなわち受信したコンテンツリスト記録部５２２に記録されているコンテンツリストには記述されているが、受信したコンテンツリストには記述されていないコンテンツが存在するか否かを判断する（ステップＤ１１）。
【００７１】
ステップＤ１１でコンテンツリスト記録部５２２に記録されているコンテンツリストから削除されたコンテンツが存在しない場合には、データ管理部５６は、受信したコンテンツリストをコンテンツリスト記録部５２２に記録（同一名のコンテンツリストがコンテンツリスト記録部５２２に記録されていた場合には、上書きして更新）して、コンテンツの受信動作を終了する。また、ステップＤ１１でコンテンツリスト記録部５２２に記録されているコンテンツリストから削除されたコンテンツが存在する場合には、データ管理部５６は、コンテンツリスト記録部５２２に記録されているコンテンツリストから削除されたコンテンツを削除対象コンテンツとして特定した後（ステップＤ１２）、受信したコンテンツリストをコンテンツリスト記録部５２２に記録（同一名のコンテンツリストがコンテンツリスト記録部５２２に記録されていた場合には、更新して記録）して、コンテンツの受信動作を終了する。特定された削除対象コンテンツは、コンテンツ記録部５２３から削除する候補のコンテンツであり、データ管理部５６によって所定のタイミングで自動的にコンテンツ記録部５２３から削除するようにしても良く、操作部５４からユーザによって入力される削除指示入力によって削除するようにしても良い。削除対象コンテンツを削除する所定のタイミングとしては、直ちに削除する場合、コンテンツ記録部５２３の空き容量が所定の値以下になった場合、コンテンツ記録部５２３に新たなコンテンツを記録できない場合等が考えられる。また、ユーザの操作で削除する場合には、コンテンツ記録部５２３の空き容量が所定の値以下になった場合や、コンテンツ記録部５２３に新たなコンテンツを記録できない場合等のコンテンツ記録部５２３からコンテンツを削除して空き容量を確保しなければならない条件に合致したときに、削除対象コンテンツの削除を促すメッセージと共に、特定された削除対象コンテンツの一覧を表示部５３に表示させ、ユーザに削除のきっかけを提供するようにすると好適である。
【００７２】
以上説明したように、本実施の形態によれば、コンテンツリスト記録部５２２にコンテンツリストを記録しておき、データ管理部５６は、送受信部４３によって新たに受信したコンテンツリストと、コンテンツリスト記録部５２２に記録している同一名のコンテンツリストとを比較することで、コンテンツリスト記録部５２２に記録しているコンテンツリストから削除され、且つコンテンツ記録部５２３に記録されているコンテンツを削除対象コンテンツとして特定し、送受信部４３によって新たに受信したコンテンツリストをコンテンツリスト記録部５２２に記録している同一名のコンテンツリストに上書きして更新するように構成することにより、コンテンツリストに連動させて記録されているコンテンツを管理することができるため、ユーザの手を煩わせることなく、ニュースや株式情報等のように頻繁にコンテンツリストが更新される場合に、コンテンツリストから削除された不要なコンテンツを削除候補のコンテンツを特定することができ、コンテンツ記録部５２３に不要なコンテンツがずっと記録されたままの状態となり、配信を受ける空き容量が不足することを防止することができると共に、連続したドラマや英会話の教材等のコンテンツリストから削除されない必要なコンテンツツが誤ってコンテンツ記録部５２３から削除されてしまうことを防止することができるという効果を奏する。
【００７３】
さらに、本実施の形態によれば、データ管理部５６は、特定した削除対象コンテンツを所定のタイミングでコンテンツ記録部５２３から削除するように構成することにより、直ちに削除する場合、コンテンツ受信動作修了時、コンテンツ記録部５２３の空き容量が所定の値以下になった場合、コンテンツ記録部５２３に新たなコンテンツを記録できない場合等の所定のタイミングで、ユーザの手を煩わせることなく不要なコンテンツの自動的に削除することができるという効果を奏する。
【００７４】
さらに、本実施の形態によれば、操作部５４からの削除指示入力によって、データ管理部５６は、特定した削除対象コンテンツをコンテンツ記録部５２３から削除するように構成することにより、特定された削除対象コンテンツをユーザの手によって簡単に削除することができるという効果を奏する。
【００７５】
さらに、本実施の形態によれば、データ管理部５６は、所定の条件に合致した場合に、削除対象コンテンツの削除を促すメッセージと共に、削除対象コンテンツの一覧を表示部５３に表示するように構成することにより、コンテンツ記録部５２３の空き容量が所定の値以下になった場合や、コンテンツ記録部５２３に新たなコンテンツを記録できない場合等のコンテンツ記録部５２３からコンテンツを削除して空き容量を確保しなければならない条件に合致したときに、ユーザにコンテンツの削除を促すことができ、ユーザは、特定された削除対象コンテンツを確認した上で削除することができるという効果を奏する。
【００７６】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００７７】
【図１】本発明に係るコンテンツ記録装置の実施の形態に対してコンテンツを配信する配信システム例を示すシステム構成図である。
【図２】図１に示すキャストサイトサーバに記録されているキャストサイトリスト例を示す図である。
【図３】図１に示すコンテンツリストサーバに記録されているキャストサイトリスト例を示す図である。
【図４】本発明に係るコンテンツ記録装置の実施の形態の構成を示すブロック図である。
【図５】図４に示す受信設定記録部に記録された受信設定例を示す図である。
【図６】本発明に係るコンテンツ記録装置の実施の形態によるコンテンツ受信動作を説明するためのシーケンスチャートである。
【図７】図１に示すキャストサイトサーバにおけるキャストサイトリストの配信動作を説明するフローチャートである。
【図８】本発明に係るコンテンツ記録装置の実施の形態におけるキャストサイトリストおよびコンテンツリストの表示例を示す図である。
【図９】図１に示すコンテンツリストサーバにおけるコンテンツリストの配信動作を説明するフローチャートである。
【図１０】図４に示すデータ管理部による削除対象コンテンツの特定方法を説明するための説明図である
【図１１】本発明に係るコンテンツ記録装置の本実施の形態におけるコンテンツリストを特定した受信動作を説明するためのフローチャートである。
【図１２】コンテンツリストの更新方法を説明するための説明図である。
【符号の説明】
【００７８】
１０  ネットワーク
２０  キャストサイトサーバ
２１  キャストサイトリスト記録部
２２  案内情報記録部
２３  リクエスト応答部
２４  送受信部（コンテンツリスト受信手段）
３０  コンテンツリストサーバ
３１  コンテンツリスト記録部
３２  案内情報記録部
３３  リクエスト応答部
３４  送受信部
４０  コンテンツサーバ
４１  コンテンツ記録部
４２  リクエスト応答部
４３  送受信部
５０  コンテンツ記録装置
５１  送受信部
５２  情報記録部
５３  表示部
５４  操作部
５５  再生処理部
５６  データ管理部（削除対象コンテンツ特定手段、コンテンツリスト更新手段、コンテンツ削除手段）
５７  ヘッドフォン
６０  カーソル
５２０  受信設定記録部
５２１  キャストサイトリスト記録部
５２２  コンテンツリスト記録部
５２３  コンテンツ記録部
【図１】
2008059072.tif 000003
【図２】
2008059072.tif 000004
【図３】
2008059072.tif 000005
【図４】
2008059072.tif 000006
【図５】
2008059072.tif 000007
【図６】
2008059072.tif 000008
【図７】
2008059072.tif 000009
【図８】
2008059072.tif 000010
【図９】
2008059072.tif 000011
【図１０】
2008059072.tif 000012
【図１１】
2008059072.tif 000013
【図１２】
2008059072.tif 000014